(57)【特許請求の範囲】
【請求項１】
互いに直交して配置される複数本の信号線及び走査線と、この信号線と走査線との交点近傍にスイッチング素子を介して配置される画素電極とを備えたアレイ基板と、
前記アレイ基板と光変調層を挟んで配された対向基板と、
を含んだ表示セルと、
前記信号線に接続され、画像信号を供給する信号線駆動回路と、
前記走査線に接続され、前記スイッチング素子をＯＮ状態にして前記画像信号を前記画素電極に書き込むゲート信号を供給する走査線駆動回路と、
前記表示セルの一辺に前記信号線駆動回路を有したＸ−ＴＣＰを複数配し、
前記表示セルの他の一辺に前記走査線駆動回路を有したＹ−ＴＣＰを複数配し、
前記複数のＸ−ＴＣＰが信号線用プリント配線基板に接続され、
前記複数のＹ−ＴＣＰが走査線用プリント配線基板に接続された平面表示装置において、
前記信号線用プリント配線基板と前記走査線用プリント配線基板との間の信号をやり取りする接続用プリント配線基板の一端を前記信号線用プリント配線基板に電気的に接続し、
前記走査線用プリント配線基板には、前記Ｙ−ＴＣＰのリード群と接続するための複数のランド群が直線上に沿って形成されるとともに、このランド群と同一直線上に前記接続用プリント配線基板のリード群を接続するための接続用ランド群が並設して設けられ、各前記リード群と前記ランド群及び前記接続用ランド群とがテープ状の異方性導電膜によって同時に熱圧着されて接続されている
ことを特徴とする平面表示装置。
【請求項２】
前記接続用ランド群は、前記ランド群の中間に位置している
ことを特徴とする請求項１記載の平面表示装置。
【請求項３】
前記接続用ランド群は、最も外側にある前記ランド群のさらに外側に位置している
ことを特徴とする請求項１記載の平面表示装置。
【請求項４】
前記接続用プリント配線基板のリード群は、前記接続用ランド群に対向する片面にのみ形成されている
ことを特徴とする請求項１記載の平面表示装置。
【請求項５】
前記信号線用プリント配線基板には、前記接続用プリント配線基板の一端と電気的に接続するためのコネクタが配置され、前記接続用プリント配線基板の他端は前記走査線用プリント配線基板の接続用ランド群と異方性導電膜を介して直接接続されている
ことを特徴とする請求項１記載の平面表示装置。
【発明の詳細な説明】
【０００１】
【発明の属する技術分野】
本発明は、液晶表示装置などの平面表示装置に関するものである。
【０００２】
【従来の技術】
最近のノートパソコンや薄型テレビなどにおいては液晶表示装置が広く用いられている。この液晶表示装置の構造は次の通りである。
【０００３】
液晶表示セルに格子状に信号線と走査線が配され、その交点に薄膜トランジスタ（以下、ＴＦＴという）が設けられている。また、信号線に接続され、ＴＦＴへ画像信号を供給する信号線駆動回路が、液晶表示セルの一辺に複数配されている。さらに、走査線に接続され、ＴＦＴをオン状態にして画像信号を画素電極に書き込むゲート信号を供給する走査線駆動回路が、前記液晶表示セルの他の一辺に複数配されている。（特公平４−７６０９０５）。
【０００４】
【発明が解決しようとする課題】
上記のような液晶表示装置１００を液晶表示セル１０２の底面側から見たものが図５である。
【０００５】
液晶表示セル１０２のＸ側一辺に、前記した信号線駆動回路を有したＸ−ＴＣＰ（Ｔａｐ Ｃａｒｒｉｅｒ Ｐａｃｋａｇｅ）が配され、また、Ｙ側一辺に走査線駆動回路を有したＹ−ＴＣＰが配されている。そして、複数のＸ−ＴＣＰ１０４は折り返されて液晶表示セル１０２の底面側に配され、信号線用プリント配線基板（以下、Ｘ−ＰＣＢという）１０６に接続されている。また、液晶表示セル１０２のＹ側一辺に接続されている複数のＹ−ＴＣＰ１０８も液晶表示セル１０２の底面側に折り返されて、走査線用プリント配線基板（以下、Ｙ−ＰＣＢという）１１０に接続されている。
【０００６】
この液晶表示セル１０２のコントロールＩＣ１１２は、Ｘ−ＰＣＢ１０６上に設けられているため、Ｙ−ＴＣＰ１０８に電源や走査線用駆動信号を送るために、Ｘ−ＰＣＢ１０６とＹ−ＰＣＢ１１０との間に接続用フレキシブル基板（以下、接続用ＦＰＣという）１１４が設けられている。
【０００７】
この接続用ＦＰＣ１１４とＸ−ＰＣＢ１０６とは、コネクタ１１６によって接続されている。一方、Ｙ−ＰＣＢ１１０と接続用ＦＰＣ１１４とは、異方性導電膜１１５によって接続されている。
【０００８】
詳しくは、図５及び図６に示すように、接続用ＦＰＣ１１４の一端から突出した接続端子１１８は、櫛歯状に形成され、かつ、図６の断面図に示すように、接続用ＦＰＣ１１４の基材である合成樹脂製のベースフィルム１２０を挟むように両面仕様となっている。
【０００９】
上記のような接続用ＦＰＣ１１４は両面仕様であると、そのコストが上昇するという問題点がある。
【００１０】
また、図５に示すように、Ｙ−ＴＣＰ１０８とは外れた位置に接続用ＦＰＣ１１４を接続する必要があるため、Ｙ−ＰＣＢ１１０の外形が大きくなり、コストが上昇するという問題点がある。
【００１１】
そこで、本発明は上記問題点に鑑み、接続用プリント配線基板を容易かつ確実に接続できると共に、コンパクトに走査線用プリント配線基板または信号線用プリント配線基板に接続することができる平面表示装置を提供するものである。
【００１２】
【課題を解決するための手段】
本願発明は、互いに直交して配置される複数本の信号線及び走査線と、この信号線と走査線との交点近傍にスイッチング素子を介して配置される画素電極とを備えたアレイ基板と、前記アレイ基板と光変調層を挟んで配された対向基板と、を含んだ表示セルと、前記信号線に接続され、画像信号を供給する信号線駆動回路と、前記走査線に接続され、前記スイッチング素子をＯＮ状態にして前記画像信号を前記画素電極に書き込むゲート信号を供給する走査線駆動回路と、前記表示セルの一辺に前記信号線駆動回路を有したＸ−ＴＣＰを複数配し、前記表示セルの他の一辺に前記走査線駆動回路を有したＹ−ＴＣＰを複数配し、前記複数のＸ−ＴＣＰが信号線用プリント配線基板に接続され、前記複数のＹ−ＴＣＰが走査線用プリント配線基板に接続された平面表示装置において、前記信号線用プリント配線基板と前記走査線用プリント配線基板との間の信号をやり取りする接続用プリント配線基板の一端を前記信号線用プリント配線基板に電気的に接続し、前記走査線用プリント配線基板には、前記Ｙ−ＴＣＰのリード群と接続するための複数のランド群が直線上に沿って形成されるとともに、このランド群と同一直線上に前記接続用プリント配線基板のリード群を接続するための接続用ランド群が並設して設けられ、各前記リード群と前記ランド群及び前記接続用ランド群とがテープ状の異方性導電膜によって同時に熱圧着されて接続されていることを特徴とする平面表示装置である。
【００２４】
本発明であると、複数のＹ−ＴＣＰと並んだ位置において、接続用プリント配線基板と走査線用プリント配線基板を電気的に接続するため、走査線用プリント配線基板を小型化することができ、かつ、その電気的接続も容易となる。
【００２６】
【発明の実施の形態】
１．第１の実施例
以下、本発明の第１の実施例を図１から図３に基づいて説明する。
【００２７】
（液晶表示装置１０の構造）
図１は、本発明の第１の実施例を示す液晶表示装置１０の底面図である。
【００２８】
この液晶表示装置１０は、ＸＧＡの液晶表示セル１２を有している。この液晶表示セル１２は、アレイ基板、対向基板、これらの間に保持される液晶層で構成される。
【００２９】
アレイ基板はガラス基板上に１０２４×３（Ｒ，Ｇ，Ｂ）本の信号線と、７８４本の走査線、信号線と走査線とに接続される薄膜トランジスタ（ＴＦＴ）と、これらＴＦＴにそれぞれ接続される画素電極のマトリックスアレイとを有している。
【００３０】
液晶表示セル１２のアレイ基板のＸ側の辺には、信号線に画像信号を供給するために８個の信号線駆動回路が設けられている。この信号線駆動回路は、それぞれＸ−ＴＣＰ１４のＩＣに内蔵されている。
【００３１】
また、アレイ基板のＹ側の辺には、３個の走査線駆動回路が設けられており、この走査線駆動回路もＹ−ＴＣＰ１６のＩＣに内蔵されている。
【００３２】
この液晶表示セル１２のＸ側の辺に沿って、信号線用プリント配線基板（以下、Ｘ−ＰＣＢという）１８が配され、前記した８個のＸ−ＴＣＰ１４が接続されている。また、このＸ−ＰＣＢ１８は、図１に示すように、液晶表示装置１０を統括的に制御するコントロールＩＣ２０が設けられている。また、コネクタ３０が設けられている。
【００３３】
一方、液晶表示セル１２のＹ側の辺に沿って走査線用プリント配線基板（以下、Ｙ−ＰＣＢ）２２が配され、３個のＹ−ＴＣＰ１６が接続されている。
【００３４】
このＸ−ＰＣＢ１８とＹ−ＰＣＢ２２を接続する場合には、Ｘ−ＰＣＢ１８とＹ−ＰＣＢ２２を図１に示すように液晶表示セル１２の底面側に折り返した後、接続用フレキシブル基板（以下、接続用ＦＰＣという）２４によって接続する。以下、その接続の構造について詳しく説明する。
【００３５】
（接続用ＦＰＣ２４の接続構造）
接続用ＦＰＣ２４は、「く」の字状の合成樹脂製のベースフィルム３８に、銅よりなる配線２８が設けられたものであり、「く」の字状の一端部は、Ｘ−ＰＣＢ１８のコネクタ３０に接続される。
【００３６】
一方、他の端部においては、Ｙ−ＰＣＢ２２と接続するためのリード群３２が形成されている。そしてこのリード群３２とコネクタ３０との間を接続する配線２８が、ベースフィルム３８の下面にのみ設けられて、片面仕様となっている。なお、配線２８上には、保護膜としてカバーフィルム２９が設けられている。
【００３７】
図２に示すように、Ｙ−ＰＣＢ２２は、長方形状をなし、３個のＹ−ＴＣＰ１６のリード群と接続するための３組のランド群（以下、Ｙランド群という）３４が所定間隔をおいて設けられている。そして、隣接する２つのＹランド群３４，３４との間に、接続用ＦＰＣ２４のリード群３２と接続するための接続用ランド群３６が設けられている。
【００３８】
また、Ｙ−ＰＣＢ２２の断面は、図３に示すように多層構造をなし、配線層の間に絶縁層を有している。詳しくは、多層のフィルム３８にそれぞれ銅よりなる配線４２が構成され、その間を絶縁層４０が設けられている。このように多層構造にすることによって、Ｙ−ＴＣＰ１６の間の配線、及び、接続用ＦＰＣ２４からの信号を送るための配線が、狭い面積において効率よく配線することができる。そして、各配線４２と接続用ランド群３６との間は、フィルム３８及び絶縁層４０を貫通するスルーホール４４によって接続する。
【００３９】
また、Ｙ−ＰＣＢ２２の上面及び下面はレジスト４６によって保護されている。
【００４０】
この接続用ＦＰＣ２４とＹ−ＰＣＢ２２とを接続する作業工程を詳しく説明する。
【００４１】
・第１工程
Ｙ−ＰＣＢ２２上の３つのＹランド群３４と１つの接続用ランド群３６の上にテープ状の異方性導電膜（Ａｎｉｓｏｔｒｏｐｉｃ  Ｃｏｎｄｕｃｔｉｖｅ  Ｆｉｌｍ，ＡＣＦという）４８を取付ける。
【００４２】
・第２工程
各Ｙランド群３４の上にＹ−ＴＣＰ１６のリード群を配し、同時に、接続用ランド群３６の上に接続用ＦＰＣ２４のリード群３２を位置決めする。
【００４３】
・第３工程
各Ｙランド群３４とＹ−ＴＣＰ１６のリード群、接続用ランド群３６と接続用ＦＰＣ２４のリード群３２を、ＡＣＦ４８で同時に熱圧着する。
【００４４】
・第４工程
Ｙ−ＰＣＢ２２を液晶表示セル１２の底面側に折り返す。
【００４５】
・第５工程
接続用ＦＰＣ２４のコネクタ３０をＸ−ＰＣＢ１８のコネクタに接続する。
【００４６】
以上のような作業工程であると、接続用ＦＰＣ２４とＹ−ＴＣＰ１６を同時に電気的接続を行うことができ、その作業効率が向上する。
【００４７】
また、接続用ＦＰＣ２４をＹ−ＴＣＰ１６と並んで取付けることによりＹ−ＰＣＢ２２の寸法を小さくすることができ、コストを削減することができる。
【００４８】
さらに、接続用ＦＰＣ２４のリード群３２の構造が、従来のような両面仕様ではなく、片面仕様であるため接続用ＦＰＣ２４のコストも削減することができる。また、ベースフィルム３８と共にリード群３２を接続できるので、接続部分のリード切れの可能性も少なくなる。
【００４９】
２．第２の実施例
上記実施例では、接続用ＦＰＣ２４を隣接するＹ−ＴＣＰ１６，１６の間に設けたが、これに代えて本実施例では、図４に示すように行う。
【００５０】
すなわち、Ｙ−ＰＣＢ２２の最も外側に位置するＹランド群３４の更にその外側に接続用ランド群３６を設けて、この位置に接続用ＦＰＣ２４を接続している。
【００５１】
この場合であっても、その接続作業は容易であり、また、Ｙ−ＰＣＢ２２の寸法も小さくできる。
【００５５】
なお、プリント配線基板には、フレキシブル基板も含まれる。
【００５６】
また、液晶表示装置に代わり、プラズマディスプレイや有機ＥＬ表示装置でもよい。
【００５７】
【発明の効果】
以上により本発明の平面表示装置であると、接続用FPCを走査線用プリント配線基板に取付ける場合に、Ｙ−ＴＣＰと並んで取付けるため、走査線用プリント配線基板の大きさを小さくすることができる。
【００５８】
また、接続用プリント配線基板をＹ−ＴＣＰと同時に電気的接続を行うことが出来るため作業効率を向上させることができる。
【図面の簡単な説明】
【図１】本発明の第１の実施例を示す液晶表示装置の底面図である。
【図２】接続用ＦＰＣとＹ−ＰＣＢを接続した状態の平面図である。
【図３】図２におけるＡ−Ａ線断面図である。
【図４】第２の実施例における接続用ＦＰＣとＹ−ＰＣＢを接続した状態の平面図である。
【図５】従来の液晶表示装置の底面図である。
【図６】図５におけるＢ−Ｂ線断面図である。
【符号の説明】
１０  液晶表示装置
１２  液晶表示セル
１４  Ｘ−ＴＣＰ
１６  Ｙ−ＴＣＰ
１８  Ｘ−ＰＣＢ
２０  コントロールＩＣ
２２  Ｙ−ＰＣＢ
２４  接続用ＦＰＣ
３４  Ｙランド群
３６  接続用ランド群
４８  ＡＣＦ
【図１】
0004854126.tif 000002
【図２】
0004854126.tif 000003
【図３】
0004854126.tif 000004
【図４】
0004854126.tif 000005
【図５】
0004854126.tif 000006
【図６】
0004854126.tif 000007